【事件の表示】
　特許第２９２０２９２号「溝ブロック用受枠」の請求項１、２に係る特許に対する特許異議の申立てについて、次のとおり決定する。
【結　論】
　訂正を認める。
　特許第２９２０２９２号の請求項１、２に係る特許を維持する。
【理　由】
第１　手続の経緯
　
　本件特許第２９２０２９２号は、平成１０年５月２２日に特許出願され、平成１１年４月３０日に設定の登録がなされ、その後、株式会社淀川製鋼所より請求項１及び請求項２に係る発明の特許について特許異議の申立がなされ、平成１３年５月１５日付けで請求項１及び請求項２に係る発明の特許について取消理由通知がなされたところ、その指定期間内である平成１３年７月２３日付けで訂正請求がなされたものである。
　
第２　訂正の適否について
　
１．訂正の内容
  特許権者が求める訂正の内容は、次のようにまとめられる。
（１）訂正事項１
　特許請求の範囲の請求項１及び請求項２の記載を、次のように訂正する。
【請求項１】　溝蓋を載置するための開口を上部に有した逆Ｕ字の溝ブロック、を形成する際に、前記溝ブロックの上部縁側に沿わせてコンクリートに一体化される対向する一対のコーナーアングルと、このコーナーアングルの内縁から垂設して溝蓋を受けるための長手な受け部と、を有する受枠であって、
　前記溝ブロックが上下を逆さにした逆姿勢で成形形成され、その際に、
（Ａ）前記溝ブロックの外側面を成形する略Ｕ字状の外枠であって、この外枠の底部に、前記開口の形状に対応した開口枠が隆起して形成された外枠を準備し、
　その際には前記開口枠は、この開口枠の上端が平面にて内枠の底部下面を載置する載置面と、段部とを有した凸形状を成し、
（Ｂ）この外枠の底部内方に前記受枠を配置し、その際には前記受け部が前記開口枠に被さるようにし、
（Ｃ）前記溝ブロックの内側面を成形する略Ｕ字状の内枠を、前記外枠の内方にて前記開口枠の上端の載置面に載置し、
（Ｄ）これら外枠と内枠の間にコンクリートを打設することにより、前記開口が確保されて前記溝ブロックが成形形成される場合において、
　前記各受け部の長手の両端面にはこの端面を覆う端板を設け、
　この端板の頂部が、前記開口枠の高さに対応して延ばされていることにより、外枠の底部内方に配置された受枠の受け部が浮かび上がって開口枠の載置面から突き出ることとなる場合に、
　前記開口枠の上端の載置面に載置した際の前記内枠の底部下面に押下されて前記頂部が前記載置面と同一面に揃う様に形成されたことを特徴とする溝ブロック用受枠。
【請求項２】　溝ブロックの上部縁側の両側に対向するコーナーアングルどうしを、溝ブロックを形成するコンクリートによって埋設される連結部材により連結して成ることを特徴とする請求項１記載の溝ブロック用受枠。
（２）訂正事項２
　明細書の段落番号００１７の「【課題を解決するための手段】以上の課題を解決するため、本願の請求項１記載の発明は、受け部の長手の両端面に端板を設け、その際、端板の上端（受枠は外枠にセットする姿勢での上端）を・・・」を、「【課題を解決するための手段】以上の課題を解決するため、本願の請求項１記載の発明は、各受け部の長手の両端面に端板を設け、その際、端板の頂部（受枠は外枠にセットする姿勢での頂部）を・・・」と訂正する。
（３）訂正事項３
　明細書の段落番号００２９の「なお、図８に示す様に、上記実施例から連結部材を省略し、左右のコーナーアングル２、２を連結せずに、別個の受枠１、１としてもよく、この場合は・・・」を、「なお、図８に示す様に、上記実施例から連結部材を省略し、左右のコーナーアングル２、２を連結せずともよく、この場合は・・・」と訂正する。
　（なお、上記訂正請求書においては、訂正事項として、上記訂正事項１の請求項２についての訂正が明確に記載されていないが、訂正請求書は「本訂正請求書に添付した訂正明細書のとおり訂正すること」を請求の趣旨としており、訂正明細書においては請求項２についても訂正されていることから、訂正事項１を上記のように認定した。）
　
２．訂正の目的の適否、新規事項の有無、および拡張・変更の存否
（１）訂正事項１のうち請求項１については、受枠のコーナーアングルと受け部と端板の構成、外枠の底部に隆起して形成された開口枠の構成、端板と開口枠の載置面との構成を限定するとともに、「端板の上端」とあるのを「端板の頂部」と訂正するものであり、特許請求の範囲の減縮、及び明りょうでない記載の釈明を目的とする訂正に相当し、請求項２については、「対応」を「対向」と訂正するものであって、請求項１の記載との整合を図るものであるから、明りょうでない記載の釈明を目的とする訂正に相当する。
　また、これらの訂正はいずれも、願書に添付した明細書又は図面に記載した事項の範囲内の訂正であり、また、実質上特許請求の範囲を拡張し、又は変更するものではない。
（２）訂正事項２及び３は、特許請求の範囲の請求項１の訂正に伴って、それとの整合を図るための訂正で、明りょうでない記載の釈明を目的とする訂正に相当する。また、これらの訂正はいずれも、願書に添付した明細書又は図面に記載した事項の範囲内の訂正であり、また、実質上特許請求の範囲を拡張し、又は変更するものではない。
　
３．むすび
　以上のとおりであるから、平成１３年７月２３日付け訂正請求は、特許法第１２０条の４第２項及び同条第３項において準用する特許法第１２６条第２項及び第３項の規定に適合するので、当該訂正を認める。
　
第３　特許異議申立について
　
１．本件発明　
　本件特許第２９２０２９２号の請求項１、２に係る発明は、訂正明細書の特許請求の範囲の請求項１、２に記載された事項により特定されるものである（前記「第２」の「１」の「（１）訂正事項１」参照）。
（以下、訂正後の請求項１、２に係る発明を本願発明１、２という。）　
　
２．異議申立の理由の概要
　
　特許異議申立人は、証拠方法として、
（１）甲第１号証（特願平１０−１８０７号（特開平１１−２００４７０号公報））、
（２）甲第２号証（特開平９−７６２２３号公報）、
（３）甲第３号証（特許第２５４０４４９号公報）、
（４）甲第４号証の１（岐阜地裁平成９年（ワ）第５４８号事件の訴状及び添付写真）、
（５）甲第４号証の２（同事件の平成１０年１１月１８日付け原告準備書面及び添付図面、添付写真）、
（６）甲第４号証の３（同事件の平成１０年１１月１８日付け被告準備書面及び検乙第１号証の１乃至４の写真）、
（７）甲第４号証の４（同事件の平成１０年５月１５日付け被告準備書面）、
（８）甲第４号証の５（同事件の平成１１年３月１日付け原告準備書面）
を提出し、本件の請求項１、２に係る発明は、いずれも甲第１号証に記載された発明と実質的に同一の発明であり、特許法第２９条の２の規定により特許を受けることができないものであること、また、本件の請求項１に係る発明は、特許異議申立人の本件特許出願前から製造販売していた溝ブロック用受枠（甲第４号証の１のイ号物件）に基づいて、また請求項２に係る発明は前記溝ブロック用受枠（甲第４号証の１のイ号物件）と甲第３号証に記載された発明に基づいて当業者が容易に発明し得たものであるから、いずれも特許法第２９条第２項の規定により特許を受けることができないものであって、本件特許は、特許法第１１３条第１項第２号の規定により取り消されるべきものである旨主張している。
　
３．甲各号証記載の技術事項
　
（１）特許異議申立人が甲第１号証として提出した特願平１０−１８０７号は、本件出願の日前の他の出願（先願）であり、本件出願後に出願公開（特開平１１−２００４７０号公報）されたものであって、その願書に最初に添付した明細書又は図面には、溝ブロック用蓋受枠の発明に関して、
　（ア）「【請求項１】　コンクリート製の溝ブロックと一体化される金属製の蓋受枠であって、溝ブロックは、開口部を有する天壁と、この天壁の左右両側端から下方へ連設された左右の側壁とを有する断面門形に形成してあり、蓋受枠は、前記天壁と側壁の交わる出隅コーナに一体化される左右のコーナーアングルと、各コーナーアングルの前後長手方向中間部に一体に形成されて前記開口部内に一体化される左右の溝蓋受け部と、左右の溝蓋受け部の前後方向両端に、左右の溝蓋受け部同士間に形成される溝蓋収容空間部の前後両端の開口端面をそれぞれ閉塞するよう溶接固定された前後の仕切り板とからなることを特徴とする溝ブロック用蓋受枠。」（特許請求の範囲）と記載され、
　（イ）「溝蓋受け部同士間に形成される溝蓋収容空間部の前後両端の開口端面をそれぞれ閉塞するための前後の仕切り板は、左右の溝蓋受け部の前後両端にそれぞれ溶接固定しておくので、コンクリート型枠を組み立てる作業が簡単に行える。前後の仕切り板によって、コンクリート打設時にコンクリートが左右の溝蓋受け部同士間の溝蓋収容空間部内に流れ込むことがない。前後の仕切り板によって、溝蓋受け部同士の平行度が保持されているので、型枠の組み立て時やコンクリート打設時に溝蓋受け部同士の平行度が狂うことがない。」（公報２頁２欄３２〜４１行）と記載され、
　（ウ）「本発明の一実施例を図１ないし図７に基づき説明する。図１及び図２に示すように、この実施例の金属製の蓋受枠１は、互いに平行な左右のコーナーアングル２，２と、各コーナーアングル２の前後長手方向の中間部に溶接固定された左右の断面Ｌ形の溝蓋受け部３，３と、左右の溝蓋受け部３，３の前後両端に、左右の溝蓋受け部３，３同士間に形成される溝蓋収容空間部Ｓの前後両端の開口端面をそれぞれ閉塞するよう溶接固定された前後の仕切り板４，４とからなる。図３に示すように、各仕切り板４の溝蓋受け部３，３間から下方へ臨む下端縁４ａの左右端には三角片５，５を設けている。左右のコーナーアングル２，２の前後方向の一端寄り部同士及び他端寄り部同士はそれぞれ丸棒鋼等からなる連結部材６で連結されている。」（公報２頁２欄４８行〜３頁３欄１１行）と記載され、
　（エ）「このように組み立てられた蓋受枠１を用いて溝ブロック１３をコンクリート成形するには、図５及び図６に示すように、蓋受枠１を上下逆さま状態にしてＵ字形の内型１４と外型１５からなる型枠１６内にセットし、しかる後、型枠１６内にコンクリートを流し込む。」（公報３頁３欄２１〜２６行）と記載され、
　（オ）「連結部材６は天壁１８内に埋め込まれる。」（公報３頁３欄４３行）と記載されている。
　これら（ア）ないし（オ）の記載を含む先願の明細書の記載及び図面の記載からみて、先願の明細書及び図面には、溝ブロック用蓋受枠及び当該溝ブロック用蓋受枠と型枠を使用した溝ブロックの成形方法に関して、次の発明（以下、「先願発明」という。）が記載されていると認められる。
　「溝蓋を載置するための開口を上部に有した逆Ｕ字状の溝ブロック１３を形成する際に使用される溝ブロック用蓋受枠において、溝ブロック１３の上部縁側に沿わせてコンクリートに一体化され対向する一対のコーナーアングル２と、このコーナーアングル２の内縁から垂設して溝蓋を受けるための長手な溝蓋受け部３と、を有する蓋受枠であって、前記溝蓋受け部３の長手の両端面には、一対の溝蓋受け部３，３同士間に形成される溝蓋収容空間部Ｓの両端の開口端面をそれぞれ閉塞するよう溶接固定された一対の仕切り板４，４とからなる溝ブロック用蓋受枠。」、及び、
　「開口が確保されたＵ字状の溝ブロックの成形方法であって、Ｕ字状の溝ブロックを上下を逆さにした逆姿勢で成形する際に使用する型枠のうち、まず溝ブロックの外側面を成形する略Ｕ字状の外型１５を準備し、この外型１５の底部内方に溝ブロック用蓋受枠を配置し、次いで、前記溝ブロックの内側面を成形する略Ｕ字状の内型１４を、前記外型１５の内方にて前記溝ブロック用蓋受枠の一対の仕切板４，４の上端に載置し、次に、これら外型１５と内型１４の間にコンクリートを打設するＵ字状の溝ブロックの成形方法。」
（２）特許異議申立人が甲第２号証として提出した特開平９−７６２２３号公報の段落番号０００９及び図７，８の記載からみて、甲第２号証には、上面（図７の上方。）に開口部を有するＵ字状側溝ブロックを天地逆に製造する型枠に関して、次のような技術事項が記載されていると認められる。
　「外側の型枠となる型枠ＶＫの底部の台枠Ｂの底板ｔ上に、側溝ブロックＶの開口部ｋを形成する入子Ｋａを設け、この入子Ｋａ上に、内側の型枠である中子装置６を載置するＵ字状側溝ブロック型枠において、前記入子Ｋａの上端は平面にて中子装置６の底部下面を載置する載置面と、段部とを有した凸形状としたもの。」
（３）特許異議申立人が甲第３号証として提出した特許第２５４０４４９号公報（発行日平成８年１０月２日）の特許請求の範囲、段落番号０００６及び図１，２の記載からみて、甲第３号証には、溝ブロック用受枠に関して、次のような技術事項が記載されていると認められる。
　「溝ブロック用受枠において、溝ブロックの上部縁側の両側に対向するコーナーアングル１１どうしを、溝ブロックを形成するコンクリートによって埋設される連結部材１３により連結して成るもの。」
（４）特許異議申立人が、本件特許出願前から製造販売していたとする溝ブロック用受枠は、甲第４号証の１のイ号物件の構成要件及び作用効果の説明、イ号物件目録及び添付写真、甲第４号証の４の被告準備書面３頁４行〜４頁８行の記載によれば、イ号物件に関して、次の技術事項が把握される。
　「溝ブロックの上部縁側に沿わせてコンクリートに一体化され対向する一対のコーナーアングルと、このコーナーアングルの内縁から垂設して溝蓋を受けるための長手な受け部と、受け部の長手の両端面には、一対の受け部同士間に形成される溝蓋収容空間部の両端の開口端面をそれぞれ閉塞するよう溶接固定された一対の連結板と、を有する溝ブロック用受枠。」（以下「イ号物件」という。）
　また、イ号物件は、甲第４号証の１の訴状３頁「請求の原因」の６行の「被告は平成８年８月初めよりイ号物件を製造販売している。」との原告（本件特許権者）の主張に対し被告は甲第４号証の４の被告準備書面３頁２〜３行において「訴状請求原因第１、３記載の事実のうち、被告がイ号物件を製造販売していた事実は認め」としていることから、被告（本件異議申立人）が、イ号物件を平成８年８月初めより製造販売していたことが認められる。
　
４．本件発明１について
　
４−１　先願発明（甲第１号証記載の発明）と実質的に同一であるという主張について
（１）本件発明１と、先願発明とを対比すると、先願発明の「逆Ｕ字状の溝ブロック１３」、「コーナーアングル２」、「溝蓋受け部３」、「蓋受枠」、及び「溝ブロック用蓋受枠」は、それぞれ本件発明１の「逆Ｕ字の溝ブロック」、「コーナーアングル」、「受け部」、「受枠」、及び「溝ブロック用受枠」に相当している。
　また、先願発明の「略Ｕ字状の外型１５」及び「略Ｕ字状の内型１４」は、それぞれ本件発明１の「略Ｕ字状の外枠」及び「略Ｕ字状の内枠」に相当し、内外の型枠間にコンクリートを打設して溝ブロックを成形する点で共通している。
　したがって、本件発明１と先願発明は、
　「溝蓋を載置するための開口を上部に有した逆Ｕ字の溝ブロック、を形成する際に、前記溝ブロックの上部縁側に沿わせてコンクリートに一体化され対向する一対のコーナーアングルと、このコーナーアングルの内縁から垂設して溝蓋を受けるための長手な受け部と、を有する受枠であって、
　前記溝ブロックが上下を逆さにした逆姿勢で成形形成され、その際に、
（Ａ）前記溝ブロックの外側面を成形する略Ｕ字状の外枠を準備し、
（Ｂ）この外枠の底部内方に前記受枠を配置し、
（Ｃ）前記溝ブロックの内側面を成形する略Ｕ字状の内枠を、前記外枠の内方に載置し、
（Ｄ）これら外枠と内枠の間にコンクリートを打設することにより、前記開口が確保されて前記溝ブロックが成形形成される溝ブロック用受枠。」
の点で構成が一致しており、次の点で相違しているものと認められる。
　相違点１：外枠（先願発明では、外型１５。）の底部に、本件発明１では、開口の形状に対応した開口枠が隆起して形成され、開口枠の上端が平面にて内枠の底部下面を載置する載置面と、段部とを有した凸形状を成すのに対して、先願発明は、開口枠が隆起して形成されているのか否かが明記されていない点。
　相違点２：本件発明１は、外枠の底部内方に受枠を配置した際には受け部が開口枠に被さるようにしたのに対して、先願発明はその点が明記されていない点。
　相違点３：本件発明１は、略Ｕ字状の内枠を、外枠の内方にて開口枠の上端の載置面に載置したのに対して、先願発明ではその点が明記されていない点。
　相違点４：本件発明１が、各受け部の長手の両端面にはこの端面を覆う端板を設け、この端板の頂部が、開口枠の高さに対応して延ばされていることにより、外枠の底部内方に配置された受枠の受け部が浮かび上がって開口枠の載置面から突き出ることとなる場合に、開口枠の上端の載置面に載置した際の内枠の底部下面に押下されて頂部が前記載置面と同一面に揃う様に形成されたのに対して、先願発明では、溝蓋受け部３の長手の両端面には、一対の溝蓋受け部３，３同士間に形成される溝蓋収容空間部Ｓの両端の開口端面をそれぞれ閉塞するように一対の仕切り板４，４を溶接固定し、その一対の仕切り板４，４の上端に内型１４を載置した点。
（２）そこで、これら相違点を検討するに、上記相違点１及び３に係る本件発明１の構成は、例えば、甲第２号証に、「外側の型枠となる型枠ＶＫの底部の台枠Ｂの底板ｔ上に、側溝ブロックＶの開口部ｋを形成する入子Ｋａを設け、この入子Ｋａ上に、内側の型枠である中子装置６を載置するＵ字状側溝ブロック型枠において、前記入子Ｋａの上端は平面にて中子装置６の底部下面を載置する載置面と、段部とを有した凸形状とした。」という技術事項が記載されているように、本件出願前に周知の技術である。
　しかしながら、前記相違点４に係る本件発明１の構成は、特許異議申立人の提出したいずれの証拠方法にも記載されておらず、しかも当該構成が本件特許出願前に周知あるいは自明な事項とも認められない。
　したがって、前記相違点２の構成について検討するまでもなく、本件発明１が先願発明と実質的に同一ということはできない。
４−２　イ号物件に基づいて容易に発明し得たという主張について
  本件発明１と本件特許出願前から製造販売していたと認められるイ号物件とを対比すると、イ号物件は、本件発明１の構成要件のうち特に、
　「（Ｄ）・・・前記各受け部の長手の両端面にはこの端面を覆う端板を設け、この端板の頂部が、前記開口枠の高さに対応して延ばされていることにより、外枠の底部内方に配置された受枠の受け部が浮かび上がって開口枠の載置面から突き出ることとなる場合に、前記開口枠の上端の載置面に載置した際の前記内枠の底部下面に押下されて前記頂部が前記載置面と同一面に揃う様に形成された」という構成を有しない。
　そして、この本件発明１のこの構成は、異議申立人の提出した本件特許出願前に公知の刊行物である甲第２号証、甲第３号証に記載されていない技術的事項であって、しかも本件発明１の当該構成としたことによって、「受枠の外枠へのセット時において、内枠で受枠を押さえて安定したセットができる他、受け部と開口枠にズレなど多少の狂いが生じているような場合であっても、内枠を所定配置に組むだけで狂いを強制的に修正して開口枠に密着させ、所定位置へのセットとができ、作業が簡単且つ正確にできる。また、開口枠と受枠との間に脱型のための隙間を確保しても、この隙間にコンクリートの流れ込むことがないため、完成した溝ブロックの受け部がコンクリートで覆われてしまうこともなく、且つ脱型が容易である。」（明細書段落番号００３０、００３１）という作用効果を奏することになり、技術的意義が認められることから、本件発明１がイ号物件に基づいて当業者が容易に発明をすることができたとはいえない。
　
５．本件発明２について
　
（１）先願発明と実質的に同一であるという主張について
　本件発明２は、本件発明１を引用して「溝ブロックの上部縁側の両側に対向するコーナーアングルどうしを、溝ブロックを形成するコンクリートによって埋設される連結部材により連結して成る」と技術的に限定したものである。
　そして、本件発明１が、前述のように、先願発明と実質的に同一といえない以上、本件発明１を引用した本件発明２が、先願発明と実質的に同一といえないのは明らかである。
（２）イ号物件と甲第３号証記載の発明から容易に発明し得たという主張について
　本件発明２は、本件発明１を引用して「溝ブロックの上部縁側の両側に対向するコーナーアングルどうしを、溝ブロックを形成するコンクリートによって埋設される連結部材により連結して成る」と技術的に限定したものである。
　そして、この技術的に限定した構成が甲第３号証に記載されているとしても、本件発明２で限定した前記構成以外は、本件発明１を引用するものであり、その本件発明１が、イ号物件に基づいて当業者が容易に発明をすることができたといえない以上、本件発明１を引用した本件発明２が、イ号物件及び甲第３号証記載の発明に基づいて当業者が容易に発明をすることができたといえないのは明らかである。
　
６．むすび
　
　以上のとおりであるから、特許異議申立の理由及び提出した証拠方法によっては、本件発明１及び本件発明２の特許を取り消すことはできない。
　また、他に本件発明１及び本件発明２の特許を取り消すべき理由を発見しない。
　よって、結論のとおり決定する。
【異議決定日】
平成１３年１０月２日（２００１．１０．２）
【訂正の要旨】
訂正の要旨
（１）訂正事項１
　特許請求の範囲の請求項１及び請求項２の記載を、次のように訂正する。
　【請求項１】　溝蓋を載置するための開口を上部に有した逆Ｕ字の溝ブロック、を形成する際に、前記溝ブロックの上部縁側に沿わせてコンクリートに一体化される
対向する一対の
　前記溝ブロックが上下を逆さにした逆姿勢で成形形成され、その際に、
（Ａ）前記溝ブロックの外側面を成形する略Ｕ字状の外枠であって、この外枠の底部に、前記開口の形状に対応した開口枠が隆起して形成された外枠を準備し、
　
その際には前記開口枠は、この開口枠の上端が平面にて内枠の底部下面を載置する載置面と、段部とを有した凸形状を成し、
（Ｂ）この外枠の底部内方に前記受枠を配置し、
その際には前記受け部が前記開口枠に被さるようにし、
（Ｃ）前記溝ブロックの内側面を成形する略Ｕ字状の内枠を、前記外枠の内方にて前記開口枠の上端の
載置面
（Ｄ）これら外枠と内枠の間にコンクリートを打設することにより、前記開口が確保されて前記溝ブロックが成形形成される場合において、
　前記
各
は
を設け、
　この端板の
頂部
前記開口枠の高さに対応して延ばされていることにより、外枠の底部内方に配置された受枠の受け部が浮かび上がって開口枠の載置面から突き出ることとなる場合に、
　前記開口枠
の上端の載置面
て前記頂部が前記載置面と同一面に揃う
たこ
　【請求項２】　溝ブロックの上部縁側の両側に対
向
（２）訂正事項２
　明細書の段落番号００１７の「【課題を解決するための手段】以上の課題を解決するため、本願の請求項１記載の発明は、受け部の長手の両端面に端板を設け、その際、端板の上端（受枠は外枠にセットする姿勢での上端）を・・・」を、「【課題を解決するための手段】以上の課題を解決するため、本願の請求項１記載の発明は、
各
頂部
頂部
（３）訂正事項３
　明細書の段落番号００２９の「なお、図８に示す様に、上記実施例から連結部材を省略し、左右のコーナーアングル２、２を連結せずに、別個の受枠１、１としてもよく、この場合は・・・」を、「なお、図８に示す様に、上記実施例から連結部材を省略し、左右のコーナーアングル２、２を連結せ
ずとも
（５４）【発明の名称】
溝ブロック用受枠
（５７）【特許請求の範囲】
　【請求項１】　溝蓋を載置するための開口を上部に有した逆Ｕ字の溝ブロック、を形成する際に、前記溝ブロックの上部縁側に沿わせてコンクリートに一体化される
対向する一対の
　前記溝ブロックが上下を逆さにした逆姿勢で成形形成され、その際に、
（Ａ）前記溝ブロックの外側面を成形する略Ｕ字状の外枠であって、この外枠の底部に、前記開口の形状に対応した開口枠が隆起して形成された外枠を準備し、
　
その際には前記開口枠は、この開口枠の上端が平面にて内枠の底部下面を載置する載置面と、段部とを有した凸形状を成し、
（Ｂ）この外枠の底部内方に前記受枠を配置し、
その際には前記受け部が前記開口枠に被さるようにし、
（Ｃ）前記溝ブロックの内側面を成形する略Ｕ字状の内枠を、前記外枠の内方にて前記開口枠の上端
の載置面
（Ｄ）これら外枠と内枠の間にコンクリートを打設することにより、前記開口が確保されて前記溝ブロックが成形形成される場合において、
　前記
各
は
を設け、
　この端板の
頂部
前記開口枠の高さに対応して延ばされていることにより、外枠の底部内方に配置された受枠の受け部が浮かび上がって開口枠の載置面から突き出ることとなる場合に、
前記開口枠
の上端の載置面
て前記頂部が前記載置面と同一面に揃う
たこ
　【請求項２】　溝ブロックの上部縁側の両側に対
向
【発明の詳細な説明】
　【０００１】
　【発明の属する技術分野】
　本発明は、いわゆるＶＳ溝と呼ばれる逆Ｕ字型溝ブロックを形成するのに適用される受枠に関する
　【０００２】
　【従来の技術】
　ＶＳ溝と呼ばれる逆Ｕ字型の溝ブロック１００は、図９〜１０に示す様に、その上面がコンクリートで覆われて上面壁１０１となっているのが特徴である。また、この上面の幅（Ｗ）両側辺にはコーナーアングル２０２が露出してコンクリートに埋め込まれていて、両辺のコンクリートの補強に役立ててある。また上面壁１０１の中央には開口１０２が設けられ、グレーチングなど溝蓋を載置するようになっており、開口の載置箇所にはその強化のための受け部２０４が、鋼材などにより各コーナーアングル２０２の内縁から垂設して長手に設けら、溝蓋の両側辺を受ける様になっていて、この様なものを受枠２０１と称している。受け部２０４は、例えば断面Ｌ字形の長手の鋼材を垂設したものが例示できる。
　【０００３】
　溝ブロック１００を形成する際には、一般に、上下を逆さにした逆姿勢で成形形成される。この成形形成の方法を後述する実施例の図面を流用して説明するが、つまり図４に示す様な、溝ブロックの外側面を成形する略Ｕ字状の外枠４０と、溝ブロックの内側面を成形する略Ｕ字状の内枠５０（図６〜７参照）を準備し、外枠４０の中に内枠５０を組み入れ、外枠４０と内枠５０の間にコンクリートを打設している。
　【０００４】
　その際、外枠４０の底部４１には、溝ブロックの開口１０２の形状に対応した凸形状の開口枠４３（図４参照）が隆起して形成され、受け部２０４が断面Ｌ字形なら、開口枠４３はＬ字に対応した段部４４を有することとなる。
　【０００５】
　受枠２０１は、内枠を組み込む前に、外枠の底部内側にセットしておくのであるが、これに用いる受枠には、図９に示した、本願出願人の出願による特許第２５４０４４９号によりる受枠がある。
　【０００６】
　この受枠２０１は、「溝ブロック１００を形成するコンクリートに一体化される受枠２０１であって、溝蓋を載置する載置幅を設けて両側に配置されるコーナーアングル２０２、２０２どうしを、前記載置幅に対応する長さを有し、溝ブロックを形成するコンクリートによって埋設される連結部材２０３により連結して成ること」を特徴としている。
　【０００７】
　この様な受枠が提供される以前は、図１１に示す様に左右別々に作製された受枠３０１（コーナーアングル３０２に受け部３０４を垂設した構成）が用いられていたが、上記特許による提案は、この様な以前からの受枠３０１の不便を解消するためのものであった。
　【０００８】
　即ち、別々の受枠をセットする場合も、セットに用いる型枠は前述同様の外枠４０、内枠５０を用いていたのであり、受枠３０１を外枠４０の底部４１にセットしていた。その際、その受け部３０４にはこれに載置する溝蓋を固定するためのボルト３０５が突設されているので、図１１に示した様に、このボルト３０５を外枠４０へのセットに流用して、外枠４０の底部外側からナット締めしていた。ただその時、ナット締めのために外枠４０を持ち上げて作業しなければならず、これが面倒であった。またコーナーアングル３０２が細幅形状であるために安定せず、コンクリート流し込み時の打設圧によってズレや易いなどの不具合があった。
　【０００９】
　これに対し上記特許の提案によれば、図１２に示す様に、コーナーアングル２０２どうしが連結部材２０３によって連結されていることにより、コーナーアングル２０２の側縁を数カ所上から外枠４０の側壁４２に設けられた爪４２’で押え込むだけで外枠４０に固定することができる。そのため、ボルトを受枠のセットに流用する必要がなくなり、よって外枠４０を持ち上げる必要がなくなって作業性の向上が得られるようになった。その他にも、コーナーアングル２０２が連結部材２０３で安定するため、ズレなどもなくなり、品質向上などの効果が得られるに到っているのである。
　【００１０】
　【発明が解決しようとする課題】
　ただ、受枠が同じ業者から提供されても、これをセットする外枠は、異なった型枠製造業者によりマチマチに提供されるため、型枠の寸法が一律に規格通りとならず、何らかの狂いを持つ場合が往々にしてある。
　【００１１】
　また同じ型枠を用いても、溝ブロック製造への使用を繰り返してゆく過程にあって、型枠に何らかの変形など、寸法狂いを招くなどする事が一部にみられる。
　【００１２】
　この狂いは、セットするときの外枠と受枠のズレとして現れるが、特に、（外枠の）開口枠と受け部とのズレが顕著である。これは開口枠の形状が受け部に対応して、形状的に複雑であることが一因である。結果、受け部はズレにより開口枠に密着されなくなり、セットした時に受け部が開口枠より浮かんだ状態として現れてくる。
　【００１３】
　この浮かんだ状態でコンクリートを打設すると、受け部にその配置や姿勢の狂いが出て、溝ブロックが不良品となる。
　【００１４】
　また完成した溝ブロックにおいては、受け部は開口部の周縁として露出するべきものであるが、打設時に受け部が浮かんでいると、受け部と開口枠との間にコンクリートが流れ込んでしまい、できた溝ブロックは、受け部が流れ込んだコンクリートで覆われた状態となって露出しないため、やはり不良品となってしまう。
　【００１５】
　従って、浮かばないように、受け部のボルトを外からナット締めして開口枠に密着させる方法があるが、これでは、ナット締めの必要をなくし、外枠を持ち上げる必要を無くすという趣旨が没却されてしまう。
　【００１６】
　以上の問題を鑑み、本発明の課題とするところは、受枠を安定してセットでき、受け部と開口枠にズレなど多少の狂いが生じているような場合であっても、ナット締め等によるズレ修正を行うことなく、単にセットするだけで開口枠に密着させる事のできる受枠を提供することにある。
　【００１７】
　【課題を解決するための手段】
　以上の課題を解決ため、本願の請求項１記載の発明は、
各
頂部
頂部
　【００１８】
　又その際、端面を覆う様に端板を設けた。これは次のような問題背景による。即ち、受け部が開口枠と密着させることが必要ながら、一方で、あまりに密着させると養生後に脱型できない問題がある。この様な矛盾する要請に対応する為、脱型のための最小限の隙間Ｇ（図１１参照）が必要となってくるが、この隙間Ｇにコンクリートが流れ込む問題が残ってしまい、しかもこれは受け部の両端から流れ込むものである。そのため、流れ込みの入り口となる端面部分を塞ぐ必要があり、その意味で、「端面を覆う様に端板を設けた」のである。
　【００１９】
　なお、上記手段は２本のコーナーアングルを連結部材で連結した前記特許に示された受枠に適用されると限ったものではなく、左右のコーナーアングルが連結されずに別個となったものにも適用される。
　【００２０】
　これを請求項２記載の発明では、コーナーアングル同士を、コンクリートによって埋設される連結部材により連結したものであり、セット時の安定を増すなどする。
　【００２１】
　【発明の実施の形態】
　以下、図面にしたがって請求項２に係る受枠１の実施例について説明する。図１〜２に示すように、この受枠１は、一対のコーナーアングル２が溝ブロックの幅Ｗを空けて、異形丸棒鋼からなる４本の連結部材３によって連結されている。
　【００２２】
　コーナーアングル２と連結部材３とは溶接により、端部が曲げ形成された連結部材３の端部とコーナーアングル２の裏面とで接合され、その際、連結部材は溝ブロックを形成するコンクリートによって埋設される形状に形成されている。コーナーアングル２は鋼材により作製され、表面は図３に示す様に縞状の凸部が設けられて滑り止めになっており、溶融亜鉛メッキ等の防錆処理が施されている。又、コーナーアングル２の裏面の適宜箇所にはアンカー部材６が取り付けられている。この例に示す受枠１０は、長さ方向が約２００ｃｍ、幅方向が５２ｃｍに作製されている。
　【００２３】
　受け部４は図示しない溝蓋を受けるためのものであり、この溝蓋に対応した長さのＬ字鋼が用いられて、コーナーアングル２の内縁から垂設されている。その際、左右の受け部４、４が溝蓋に対応した幅を保って対向させて設けられている。受け部４に突設されているボルト５は溝蓋を取り付けるためのものである。　また受け部４は、長手の両端面が各々Ｌ字のコーナー形状になっていて、これら端面を、図２に示す様な略三角形の端板７が覆うようにして溶接で設けられている。更に、三角形の一角が、受け部の（一部であって水平部分を成す）水平部４’の幅をはみ出して、このはみ出しが図２の下方向に延ばされて頂部８を成し、更にこの頂部８が、溝ブロックの上面壁１０１の厚みＤ（図１参照）に対応して延ばされている。この様な端板７が、左右の受け部４、４の両端面（換言すれば、溝ブロック開口の４隅に対応した４箇所）に設けられている（図３参照）。また、左右に対向する２つの端板７、７どうしは、連結板９で連結されている。
　【００２４】
　このような受枠１を用いて、溝ブロック１００を作製する場合においては、図４に示すような外枠４０に、受枠１を逆さ状態にしてセットして固定する。外枠４０はその底部４１の４辺に壁部４２が立設可能に設けられ、且つ、底部４１に対してヒンジに設けられている。従って、溝ブロックの脱型時には、外枠４０を展開形状に開くことができる。また底部４１には、開口に対応した形状の開口枠４３が隆起して形成されており、段部４４を有した凸形状を成している。また開口枠４３の上端は平面による載置面４５をなし、後述する内枠５０の底部下面５１（これも平面）が載置されて、溝ブロック１００の開口を形成するようになっている。従って、開口枠４３は溝ブロック開口の深さ分（つまり、溝ブロックの上面壁の厚さＤ）に相当する高さになっている。
　【００２５】
　この様な外枠４０の底部４１に、受枠１を逆にしてセットすると、図５に示す様に受け部４が開口枠４３に被さるようにセットされる。またコーナーアングル２は、図１２で示した爪４１により、従来技術と同様にコーナーアングルの側縁を数カ所上から外枠４０に固定することができる。
　【００２６】
　次ぎに、図６〜７に示す様に内枠５０を外枠４０の上から入れ、開口枠４３の載置面４５に載置する。この時、受け部４が開口枠４３から浮かび上がっていると、図７に示す様に頂部８が開口枠の載置面４５より突き出ることとなる。これに対して、内型５０を外枠４０の内に組み入れ、開口枠４３の載置面４５に載置すると、内枠５０の底部下面５１が頂部８を押下し、頂部８が載置面４５と同一面に揃うまで押し下げられ、受け部４の浮かびが修正されれて段部４４（図６）と密着する。また単に密着させるだけでなく、受枠を押さえることにより外枠への安定したセットを実現している。
　【００２７】
　この様に外枠４０と内枠５０が受枠１をセットした状態で組み立てられたら、外枠４０と内枠５０の間にコンクリートを打設する。その後、養生期間を経て、脱型することにより、完成した溝ブロック１００が得られる。
　【００２８】
　こうして出来上がった溝ブロック１００は、図１に示すように受枠１がコンクリートに一体化されており、コーナーアングル２の受け部４も狂いのない所定位置にてコンクリートに一体化されている。また、受け部はその表面がコンクリートに覆われることもなく、受け部に載置する溝蓋はボルト５に螺着するナットによって取り付けられるようになっている。
　【００２９】
　なお、図８に示す様に、上記実施例から連結部材を省略し、左右のコーナーアングル２、２を連結せ
ずとも
　【００３０】
　【発明の効果】
　以上説明したように、本発明によれば、受枠の外枠へのセット時において、内枠で受枠を押さえて安定したセットができる他、受け部と開口枠にズレなど多少の狂いが生じているような場合であっても、内枠を所定配置に組むだけで狂いを強制的に修正して開口枠に密着させ、所定位置へのセットとができ、作業が簡単且つ正確にできる。
　【００３１】
　また、開口枠と受枠との間に脱型のための隙間を確保しても、この隙間にコンクリートの流れ込むことがないため、完成した溝ブロックの受け部がコンクリートで覆われてしまうこともなく、且つ脱型が容易である。
【図面の簡単な説明】
　【図１】　請求項２発明に係る受枠の実施例を示す斜視図である。
　【図２】　図１に示す実施例につき、受け部の端部の拡大図である。
　【図３】　同じく図１に示す実施例についての部分平面図である。
　【図４】　溝ブロックの作製にもちいる外枠の斜視図である。
　【図５】　図４に示した外枠に、図１に示した受け枠をセットしたときの、開口枠と受枠と係わり方を説明する図である。
　【図６】　外枠に内枠を組み入れたときの、端板と内枠との係わり方を説明する図である。
　【図７】　これも、外枠に内枠を組み入れたときの、端板と内枠との係わり方を説明する図である。
　【図８】　請求項１発明に係る、左右別々に構成された受枠の実施例を示す斜視図である。
　【図９】　従来技術で示した受枠の斜視図。
　【図１０】　図９におけるＡ−Ａ断面図である。
　【図１１】　図９で示した従来の受枠より更に以前の受枠の説明図である。
　【図１２】　図９で示した受枠を用いてコンクリートを打設したときの説明図である。
　【符号の説明】
　１　受枠
　２　コーナーアングル
　３　連結部材
　４　受け部
　５　ボルト
　７　端板
　８　頂部
　９　連結板
４０　外枠
４１　底部
４３　開口枠
４５　載置面
５０　内枠
１００　溝ブロック
１０１　上面壁